(57)【特許請求の範囲】
【請求項１】
少なくとも内側から外側へ順に配置されたバリア層と紙層とを有する積層体からなるブランクを折罫に沿って折畳んで組立ててなる６面体形状の紙容器において、
紙容器に、先端に摘み部を有し、バリア層を残し紙層に切込みを入れて形成された一対のハーフカット線を設け、
各ハーフカット線の所望部分または各ハーフカット線の延長上に、紙層を取除いて形成されバリア層が外方へ露出するとともに当該ハーフカット線より大きな幅を有する細長状窓部が設けられていることを特徴とする紙容器。
【請求項２】
各細長状窓部は１０〜５０ｍｍの長さと、１〜１０ｍｍの幅を有することを特徴とする請求項１記載の紙容器。
【請求項３】
各細長状窓部は紙容器の稜線に沿って設けられていることを特徴とする請求項１または２記載の紙容器。
【請求項４】
各ハーフカット線は紙容器の稜線と交わらないことを特徴とする請求項１または２記載の紙容器。
【請求項５】
少なくとも内側から外側へ順に配置されたバリア層と紙層とを有する積層体からなり、折罫に沿って折り畳んで組立てることにより、６面体形状の紙容器を成形するブランクにおいて、
ブランクに先端に摘み部を有し、バリア層を残し紙層に切込みを入れて形成された一対のハーフカット線を設け、
各ハーフカット線の所望部分または各ハーフカット線の延長上に、紙層を取除いて形成されバリア層が外方へ露出するとともに当該ハーフカット線より大きな幅を有する細長状窓部が設けられていることを特徴とするブランク。
【請求項６】
各細長状窓部は１０〜５０ｍｍの長さと、１〜１０ｍｍの幅を有することを特徴とする請求項５記載のブランク。
【請求項７】
各細長状窓部は、紙容器の稜線に対応する折罫の所望部分に設けられていることを特徴とする請求項５または６記載のブランク。
【請求項８】
各ハーフカット線は紙容器の稜線に対応する折罫と交わらないことを特徴とする請求項５または６のいずれか記載のブランク。
【発明の詳細な説明】
【技術分野】
【０００１】
本発明は、菓子等を収容した状態で販売される紙容器およびブランクに関する。さらに詳しくは、内容物が湿気を嫌う場合に適した、バリア性の高い紙容器およびブランクに関する。
【背景技術】
【０００２】
紙容器に菓子等を収容した状態で陳列販売することは、従来から普通に行われている。紙容器に収容される内容物がチョコレートやクッキー等、湿気を嫌うものである場合、個々のチョコレート、クッキー等を個別に袋に入れた状態として、これを紙容器に収容している。
【０００３】
ところでこのような紙容器は、正面壁と、天壁と、背面壁と、底壁と、一対の側部とからなる６面体形状を有しているが、バリア性がないため、内容物をバリア性のある袋体で個別包装している。
【０００４】
また紙容器には、先端に摘み部を有する一対の開封用ハーフカット線が設けられ、摘み部を摘み、一対の開封用ハーフカット線に沿って紙容器を破断することにより紙容器を開封することができる。
【０００５】
ところで、一対の開封用ハーフカット線の摘み部は正面壁に設けられ、この開封用ハーフカット線は正面壁から天壁まで延び、開封用ハーフカット線に沿って紙容器を破断する場合、正面壁および天壁の双方が開封される。
【０００６】
しかしながら、開封用ハーフカット線に沿って紙容器を破断する際、開封用ハーフカット線に沿って確実に紙容器を破断することができず、紙容器の開封部が先細りすることがある。
【先行技術文献】
【特許文献】
【０００７】
【特許文献１】特開平９−４８４２６号公報
【特許文献２】特開平１１−２０８２１号公報
【特許文献３】特開２００３−２３２４号公報
【発明の概要】
【発明が解決しようとする課題】
【０００８】
本発明はこのような点を考慮してなされたものであり、開封用ハーフカット線に沿って紙容器を破断する場合、紙容器を確実に開封用ハーフカット線に沿って破断することができ、開封部が先細りすることがない紙容器およびブランクを提供することを目的とする。
【課題を解決するための手段】
【０００９】
本発明は、少なくとも内側から外側へ順に配置されたバリア層と紙層とを有する積層体からなるブランクを折罫に沿って折畳んで組立ててなる６面体形状の紙容器において、紙容器に、先端に摘み部を有し、バリア層を残し紙層に切込みを入れて形成された一対のハーフカット線を設け、各ハーフカット線の所望部分または各ハーフカット線の延長上に、紙層を取除いて形成されバリア層が外方へ露出するとともに当該ハーフカット線より大きな幅を有する細長状窓部が設けられていることを特徴とする紙容器である。
【００１０】
本発明は、各細長状窓部は１０〜５０ｍｍの長さと、１〜１０ｍｍの幅を有することを特徴とする紙容器である。
【００１１】
本発明は、各細長状窓部は紙容器の稜線に沿って設けられていることを特徴とする紙容器である。
【００１２】
本発明は、各ハーフカット線は紙容器の稜線と交わらないことを特徴とする紙容器である。
【００１３】
本発明は、少なくとも内側から外側へ順に配置されたバリア層と紙層とを有する積層体からなり、折罫に沿って折り畳んで組立てることにより、６面体形状の紙容器を成形するブランクにおいて、ブランクに先端に摘み部を有し、バリア層を残し紙層に切込みを入れて形成された一対のハーフカット線を設け、各ハーフカット線の所望部分または各ハーフカット線の延長上に、紙層を取除いて形成されバリア層が外方へ露出するとともに当該ハーフカット線より大きな幅を有する細長状窓部が設けられていることを特徴とするブランクである。
【００１４】
本発明は、各細長状窓部は１０〜５０ｍｍの長さと、１〜１０ｍｍの幅を有することを特徴とするブランクである。
【００１５】
本発明は、各細長状窓部は、紙容器の稜線に対応する折罫の所望部分に設けられていることを特徴とするブランクである。
【００１６】
本発明は、各ハーフカット線は紙容器の稜線に対応する折罫と交わらないことを特徴とするブランクである。
【発明の効果】
【００１７】
以上のように本発明によれば、紙容器またはブランクに、先端に摘み部を有し、バリア層を残し紙層に切込みを入れて形成された一対のハーフカット線が設けられ、各ハーフカット線の所望部分または各ハーフカット線の延長上に、紙層を取除いて形成されバリア層が外方へ露出する細長状窓部が設けられている。このため、一対のハーフカット線に沿って紙容器を破断する際、ハーフカット線に沿って紙容器を確実に破断して開封することができ、これにより紙容器の開封部が先細りすることはない。
【図面の簡単な説明】
【００１８】
【図１】図１（ａ）は本発明の第１の実施の形態の紙容器を開封前の状態で示す斜視図、図１（ｂ）は一対の側部を立てた状態を示す紙容器の斜視図。
【図２】図２は図１（ａ）（ｂ）に示す紙容器を開封した状態を示す斜視図。
【図３】図３は紙容器を構成するブランクの展開図。
【図４】図４は紙容器のコーナ部とブランク上の位置との対応関係を示す図。
【図５】図５は紙容器を構成するブランクの積層構造を説明する図。
【図６】図６は本発明の変形例を説明する図であって、図３中の拡大図に対応している図。
【図７】図７は本発明の他の変形例を説明する図。
【図８】図８（ａ）は本発明の第２の実施の形態の紙容器を開封前の状態で示す斜視図、図８（ｂ）は一対の側部を立てた状態を示す紙容器の斜視図。
【図９】図９は図８（ａ）（ｂ）に示す紙容器を開封した状態を示す斜視図。
【図１０】図１０は本発明の変形例を示すブランクの展開図。
【発明を実施するための形態】
【００１９】
第１の実施の形態
次に図１乃至図５により、本発明の第１の実施の形態について説明する。
【００２０】
このうち図１（ａ）は開封前の状態の紙容器を示す斜視図であり、図１（ｂ）は一対の側部を立てた状態を示す紙容器の斜視図であり、図２は図１（ａ）の紙容器を開封した状態を示す斜視図であり、図３は紙容器を構成するブランクの展開図である。
【００２１】
図１（ａ）（ｂ）乃至図３に示すように、紙容器１０は合成樹脂製のヒートシール層（シール層ともいう）５と、紙層６と、アルミ層（バリア層）７と、合成樹脂製のヒートシール層（シール層ともいう）８とを有する積層体からなるブランク１（図５参照）からなる。この場合、紙容器１０はブランク１を折罫ａ，ｂ，ｃ，ｄ，４４ａ，４５ａ，４６ａ，４８ａ，４９ａに沿って折畳み組立てることにより構成され、このような紙容器１０は６面体形状を有する。
【００２２】
すなわち紙容器１０は、正面外パネル１１ａと、この正面外パネル１１ａに重なり合って貼り付けられた正面内パネル１１ｂとを有する正面壁１１と、正面外パネル１１ａに折罫ａ（稜線ａともなる）を介して連設された天壁１２と、天壁１２に折罫ｂ（稜線ｂともなる）を介して連設された背面壁１３と、背面壁１３に折罫ｃ（稜線ｃともなる）を介して連設された底壁１４とを備え、底壁１４と正面内パネル１１ｂとの間に折罫ｄ（稜線ｄともなる）が設けられている。
【００２３】
また正面壁１１と背面壁１３との間には、一対の側部４０、４０が設けられている。この各側部４０は、天壁１２から折罫４０Ａを介して延びるとともに先端に貼付け部４１ａを有する天壁側部パネル４１と、底壁１４から折罫４０Ａを介して延びるとともに先端に貼付け部４２ａを有する底壁側部パネル４２とを有している。そして天壁側部パネル４１の貼付け部４１ａと、底壁側部パネル４２の貼付け部４２ａを互いに貼付けることにより、側部４０が構成される。
【００２４】
また各側部４０の両側には、天壁側部パネル４１と底壁側部パネル４２との間に折込まれた第１折込部４３と第２折込部４７とが設けられている。
【００２５】
このうち第１折込部４３は正面壁１１側に位置し、第２折込部４７は背面壁１３側に位置している。
【００２６】
ところで紙容器１０は１枚のブランク１から組み立てられるが、このような紙容器の密封性を高めるため、紙容器１０は、以下に説明する種々の構成をもつ。
【００２７】
図４は、展開状態のブランク１と、これを組み立てて構成される紙容器１０との対応関係を示している。紙容器１０は、６面体であって、合計８つのコーナ部Ａ〜Ｈを有する。ブランク１上において、これらのコーナ部に対応する箇所Ａ〜Ｈはすべて、ブランク１の周端縁ではなく、それよりも内方側に位置している。
【００２８】
このような構成を採用した結果、組立後の紙容器１０において、すべてのコーナ部Ａ〜Ｈに隙間（開口）が生じることはなく、したがって、高い密封性を実現することができる。
【００２９】
なお、ブランク１の具体的な折り方（折罫の配置）は、図示したものに限られない。
【００３０】
（ブランク１の構成）
図３は、紙容器１０を構成するブランク１の展開図を示しており、上述のようにこれを組み立てることで図１（ａ）（ｂ）および図２に示す紙容器１０が構成される。本発明において、ブランク１は、少なくとも次の要素を含んでいる。
（１）正面壁１１を構成する正面外パネル１１ａ、正面内パネル１１ｂ。
正面内パネル１１ｂの外面に正面外パネル１１ａを貼り重ねることで、組立後の紙容器１０における正面壁１１が構成される。
（２）天壁１２。
天壁１２は、折罫ａを介して正面外パネル１１ａに連設されている。
（３）底壁１４。
底壁１４は、折罫ｄを介して正面内パネル１１ｂに連設されている。
（４）背面壁１３。
背面壁１３は、組立後の紙容器１０において正面壁１１に対向しており、折罫ｂを介して天壁１２に、折罫ｃを介して底壁１４に、それぞれ連設されている。
（５）紙容器１０は、六面体を有するため、上記各壁部以外にも左右の一対の側部４０、４０が存在する。上述のように各側部４０は天壁側部パネル４１の貼付け部４１ａと、底壁側部パネル４２の貼付け部４２ａを貼り付けることにより構成される。
【００３１】
また正面外パネル１１ａには、その端縁にそって間隔を置いた２つの切欠部２１ａ、２１ｂが形成されている。各切欠部２１ａ、２１ｂから、それぞれ、開封用ハーフカット線２２ａ、２２ｂが延在している。開封用ハーフカット線２２ａ、２２ｂは、ミシン目状に形成され、最初は互いに平行に延在し、途中から離れる方向に延在し、さらに、天壁１２上を平行に延在して、折罫ｂにまで至る（図３参照）。なお、開封用ハーフカット線２２ａ、２２ｂは、いずれも折罫ａおよび折罫ｂに対してわずかに、例えばｌ２＝１．０〜１．５ｍｍ離れている。このように開封用ハーフカット線２２ａ、２２ｂが折罫ａ、ｂと交差しないようにしたことにより、紙容器１０を組立てた際、この折罫ａ、ｂにピンホールが形成されることはない。
【００３２】
正面外パネル１１ａ上において、２つの切欠部２１ａ、２１ｂの間の領域（開封用ハーフカット線２２ａ、２２ｂの平行部分に挟まれた領域）は、開封用摘み部２５として機能する。つまり、消費者は、開封用摘み部２５を摘んで、開封用ハーフカット線２２ａ、２２ｂに沿って、紙容器１０を上方へ破り開けることができる。なお、開封後は、後に説明する再封止スリット３１に、開封用摘み部２５を差し込むことで、紙容器１０を再封止することができる（図２参照）。
【００３３】
開封用ハーフカット線２２ａ、２２ｂは、ブランク１を貫通することなく、外表面のヒートシール層５および紙層６を切り込んで構成されている（図５参照）。なお、図５に示した例では、ハーフカットは紙層６を貫通しているが、紙層６の途中までのハーフカットとしてもよい。
【００３４】
正面内パネル１１ｂには、図３中に部分的に拡大して示したように、再封止スリット３１と、第１剥離用ハーフカット線３２ａ、３２ｂと、第２剥離用ハーフカット線３５ａ〜ｃとが形成されている。これらについて説明する。
【００３５】
（再封止スリット３１）
再封止スリット３１は、開封後の紙容器１０を再度封止することを可能とするもので、図５中に示したフルカット部分により、ブランク１の全厚を貫通して形成されている。なお、図３中に拡大して示したように、再封止スリット３１は、フルカット部分の途中に、未カットの連設部分３１’を備えている。
【００３６】
連設部分３１’は、再封止スリット３１が不用意に破断するのを防止する意味で設けている。図示した例では、連設部分３１’を２箇所に設けているが、適宜の数を設定することができる。
【００３７】
（第１剥離用ハーフカット線３２ａ、３２ｂ）
正面外側フラップ１１ａには２本の開封用ハーフカット線２２ａ、２２ｂが形成されているが、正面内側フラップ１１ｂ上のこれに対応する位置に、２本の第１剥離用ハーフカット線３２ａ、３２ｂを形成している。
【００３８】
この第１剥離用ハーフカット線３２ａ、３２ｂは、後に説明する第２剥離用ハーフカット線３５ａ〜３５ｃと同様、紙容器１０の開封操作時に、正面内側フラップ１１ｂから正面外側フラップ１１ａを引き剥がし易くするために設けている。
【００３９】
（第２剥離用ハーフカット線３５ａ〜３５ｃ）
第２剥離用ハーフカット線３５ａ〜３５ｃは、再封止スリット３１に沿ってその両側に少なくとも１本ずつ形成される。図３に示した例では、再封止スリット３１の上方に１本、下方に２本の第２剥離用ハーフカット線３５ａ〜３５ｃを設けているが、少なくとも再封止スリット３１の上下に１本ずつ存在すれば、他の構成であってもよい。
【００４０】
この第２剥離用ハーフカット線３５ａ〜３５ｃは、紙容器１０の開封操作時に、正面内側フラップ１１ｂから正面外側フラップ１１ａを引き剥がし易くするために設けている。
【００４１】
第２剥離用ハーフカット線３５ａ〜３５ｃが複数本存在するのは、後述する第２実施形態の場合と同じく、位置ズレを吸収する意味がある。詳しくは後述する。
【００４２】
（剥離層５０）
図３中に部分的に拡大して示した正面内側フラップ１１ｂにおいて、ヨコ方向に延在する再封止スリット３１および第２剥離用ハーフカット線３５ａ〜３５ｃは、すべて、タテ方向に延在する第１剥離用ハーフカット線３２ａ、３２ｂの両方と交差して延在している。
【００４３】
両サイドでタテ方向に延在する２本の第１剥離用ハーフカット線３２ａ、３２ｂに挟まれる領域には、再封止スリット３１の部分を除き、剥離層５０を設けている。正面内側フラップ１１ｂ上に灰色で示した領域５０が剥離層が配置される領域である。
【００４４】
ヨコ方向の拡がりに関して言うと、図面上では、剥離層５０が第１剥離用ハーフカット線３２ａ、３２ｂに挟まれた領域に剥離層５０が存在すれば足りる。
【００４５】
タテ方向の拡がりに関して言うと、再封止スリット３１を避けて、かつ、第２剥離用ハーフカット線３５ａ〜３５ｃを覆っていれば足りる。
【００４６】
剥離層５０は、紙容器１０の密封性を確保するとともに、開封作業を容易にするために、第１剥離用ハーフカット線３２ａ、３２ｂおよび第２剥離用ハーフカット線３５ａ〜３５ｃで囲まれた領域に設けられている。
【００４７】
（積層構造、ハーフカット、フルカット（図５））
ブランク１の積層構造は、次の通りである。すなわち、図５に模式的に示したように、ブランク１の外表面と内表面に、それぞれシール層５、８が位置する。そして、両シール層５、８の間において、外表面側の紙層６と内表面側のアルミ層７が形成される。紙容器１０を組み立てたとき、シール層５が紙容器１０の外側に、シール層８が紙容器１０の内側にくる。
【００４８】
アルミ層７はアルミ箔から構成することもできるが、シール層８として一軸延伸ポリエチレンフィルムを用い、この一軸延伸ポリエチレンフィルム上に蒸着アルミ層を形成することによりアルミ層７を設けてもよい。
【００４９】
最も外側と内側にシール層が存在すること、および両シール層間において、紙層よりもアルミ層７の方が内側に存在していれば、積層構造中に他の層が含まれてもよい。
【００５０】
アルミ層７は、紙容器１０に湿気、酸素等に対するバリア特性を与えるものであり、したがって、アルミ層７にはカットを入れないことが好ましい。そのため、開封用ハーフカット線２２ａ、２２ｂ、第１剥離用ハーフカット線３２ａ、３２ｂ、第２剥離用ハーフカット線３５ａ〜３５ｃは、すべて、図５中に示したハーフカット部分のように、ブランク１を貫通することなく、外表面のシール層５および紙層６を切り込んで構成されている（バリア特性を与えるアルミ層７までは達しない）。なお、図示した例では、ハーフカットは紙層６を貫通しているが、紙層６の途中までのハーフカットとしてもよい。
【００５１】
唯一、再封止スリット３１は、ブランク１全厚を貫通するフルカット部分（図５参照）として構成される。しかし、再封止スリット１の周辺領域は、紙容器１０を組み立てる際に、シール層５、８によるシールで塞がれるので、密封性が損なわれることはない。また、再封止スリット３１を構成するフルカット部分の途中に、未カットの連設部分３１’を備えることで、スリットが不用意に開口してしまうことを防いでいる。
【００５２】
（細長状窓部）
ところで、上述のように正面外パネル１１ａには一対の開封用ハーフカット線２２ａ、２２ｂが設けられ、この一対のハーフカット線２２ａ、２２ｂは正面外パネル１１ａから天壁１２側へ延びて折罫ｂ近傍まで達している。
【００５３】
また正面外パネル１１ａに設けられた各々の開封用ハーフカット線２２ａ、２２ｂの所望部分に、シール層５および紙層６を除去することにより形成され、アルミ層７が外方へ露出する細長状窓部２２Ａ、２２Ｂが設けられている。
【００５４】
この細長状窓部２２Ａ、２２Ｂは、開封用ハーフカット線２２ａ、２２ｂと同様の断面形状をもつが（図５参照）、その長さｌ１は１０〜５０ｍｍ、その幅ｗは１〜１０ｍｍとなっている。
【００５５】
細長状窓部２２Ａ、２２Ｂの長さｌ１を１０〜５０ｍｍとするとことにより、開口部を可能な限り広くして、かつ座屈強度を保つことができる。また細長状窓部２２Ａ、２２Ｂの幅ｗを１〜１０ｍｍとすることにより、流通時における外部からの衝撃によるピンボールの発生を防いだり、店頭において指が細長状窓部２２Ａ、２２Ｂ内に入ることを防止できる。細長状窓部２２Ａ、２２Ｂは、開封用ハーフカット線２２ａ、２２ｂより大きな幅をもつが、細長状窓部２２Ａ、２２Ｂ内に指が入らないようになっている。これによりバリアー層が不用意に破れることを低減している。
【００５６】
図１（ａ）（ｂ）、図２および図３に示すように、細長状窓部２２Ａ、２２Ｂは、正面外パネル１１ａ上に設けられており、切欠部２１ａ、２１ｂから拡がる開封用ハーフカット線２２ａ、２２ｂに沿って設けられている。
【００５７】
このように正面外パネル１１ａのうち切欠部２１ａ、２１ｂから拡がる開封用ハーフカット線２２ａ、２２ｂに沿って細長状窓部２２Ａ、２２Ｂを設けたので、切欠部２１ａ、２１ｂ間の摘み部２５を摘み、開封用ハーフカット線２２ａ、２２ｂに沿って紙容器１０を破断した場合、紙容器１０を開封用ハーフカット線２２ａ、２２ｂに沿って確実に破断することができる。このため開封用ハーフカット線２２ａ、２２ｂに沿って紙容器を破断することにより形成される開封部が開封用ハーフカット線２２ａ、２２ｂから外れたり、先細り状態となることはない。
【００５８】
次に各側部４０の両側に設けられた第１折込部４３と、第２折込部４７について説明する。
【００５９】
各第１折込部４３は正面外パネル１１ａから延びる正面外パネル側第１折込部４３Ａと、正面内パネル１１ｂから延びる正面内パネル側第１折込部４３Ｂとからなり、第１折込部４３は天壁側部パネル４１と底壁側部パネル４２との間に折込まれている。
【００６０】
また正面外パネル側第１折込部４３Ａは、図３に示すように正面外パネル１１ａに第１折罫４４ａを介して連結された第１三角形領域４４と、この第１三角形領域４４に一対の第２折罫４５ａを介して連結された一対の第２三角形領域４５とを有している。
【００６１】
また各第２三角形領域４５は、他の折罫４６ａにより区画されており、各第２三角形領域４５はこの他の折罫４６ａを介して４角形状の貼付け部４６に連結され、各４角形状の貼付け部４６は各々天壁側部パネル４１の貼付け部４１ａおよび後述する正面内パネル側第１折込部４３Ｂに貼付けられる。
【００６２】
ところで第１折込部４３を構成する正面外パネル側第１折込部４３Ａと、正面内パネル側第１折込部４３Ｂは、正面外パネル側第１折込部４３Ａが外側へくるよう互いに積層されている。この場合、正面内パネル側第１折込部４３Ｂの上端縁は、第１三角形領域４４の頂点４４ｂ近傍まで達する（図３参照）。
【００６３】
また、第２折込部４７は背面壁１３に第１折罫４８ａを介して連結された第１三角形領域４８と、この第１三角形領域４８に一対の第２折罫４９ａを介して連結された一対の第２三角形領域４９とを有している。
【００６４】
次にこのような構成からなる本実施の形態の作用について説明する。
【００６５】
まず上述した層構成を有するブランク１を準備する。
【００６６】
次にブランク１を折罫ａ，ｂ，ｃ，ｄに沿って折り畳み、正面外パネル１１ａと正面内パネル１１ｂを重ね合せて貼り付ける。
【００６７】
次にブランク１を組み立て、内容物を収納した後、ブランク１を折罫４４ａ、４５ａ、４６ａに沿って折畳むことにより、正面外パネル側第１折込部４３Ａと、正面内パネル側第１折込部４３Ｂとからなる第１折込部４３を形成する。同時にブランク１を折罫４８ａ、４９ａに沿って折畳んで第２折込部４７を形成する。
【００６８】
その後第１折込部４３と第２折込部４７を、各々天壁側部パネル４１と底壁側部パネル４２との間に折込み、天壁側部パネル４１の貼付け部４１ａと底壁側部パネル４２の貼付け部４２ａとを貼付けることにより一対の側部４０、４０を形成する。
【００６９】
このようにして６面体形状の紙容器１０を成形することができる。
【００７０】
紙容器１０の開封作業は、正面外側フラップ１１ａに形成した開封用摘み部２５を摘んで行う。このとき正面内側フラップ１１ｂから正面外側フラップ１１ａが剥離し易いように、第１剥離用ハーフカット３２ａ、３２ｂおよび第２剥離用ハーフカット線３５ａ〜３５ｃを設けるとともに、これらに囲まれた領域に剥離層５０を設けている。この囲まれた領域内に再封止スリット３１が存在するが、剥離層５０は、再封止スリット３１を避けるように配置しているので、再封止スリット３１はシール層５、８によるシールで確実に塞がれて、密封性が損なわれることはない。
【００７１】
しかも、再封止スリット３１は、ブランク１を貫通するフルカット部分の途中に、未カットの連設部分３１’を備えて構成されているので、不用意に当該スリットが開口して密封が損なわれる、という事業は非常に生じにくくなる。
【００７２】
また、正面外パネル１１ａのうち切欠部２１ａ、２１ｂから拡がる開封用ハーフカット線２２ａ、２２ｂに沿って細長状窓部２２Ａ、２２Ｂを設けたので、切欠部２１ａ、２１ｂ間の摘み部２５を摘み、開封用ハーフカット線２２ａ、２２ｂに沿って紙容器１０を破断した場合、紙容器１０を開封用ハーフカット線２２ａ、２２ｂに沿って確実に破断することができる。このため開封用ハーフカット線２２ａ、２２ｂに沿って紙容器を破断することにより形成される開封部が開封用ハーフカット線２２ａ、２２ｂから外れたり、先細り状態となることはない。
【００７３】
次に図６により、本発明の変形例について説明する。図６に示す紙容器１０は、図１乃至図５に説明した実施の形態に対して、第１剥離用ハーフカット線３２ａ、３２ｂの構成のみが異なるので、この点だけを説明する。
【００７４】
上記実施の形態では、第１剥離用ハーフカット線３２ａ、３２ｂが両サイドに２本形成されていた。本変形例では、これらハーフカット線３２ａ、３２ｂのそれぞれに対し、隣接する別の第１剥離用ハーフカット線３２ａ’、３２ｂ’を少なくとも１本形成している。
【００７５】
このように、第１剥離用ハーフカット線を左右両サイドにそれぞれ複数本ずつ設ける意味は、位置ズレの吸収である。すなわち、製造ラインにおいて、正面内側パネル１１ｂ上に剥離層５０を塗布する際、剥離層５０は、当然に第１剥離用ハーフカット線３２ａ、３２ｂの両方を覆うように配置されるべきものである。
【００７６】
しかし、実際には製造工程上のズレが生じてしまう場合もある。図６に示した第２の実施の形態のように、左右両サイドにそれぞれ２本ずつ第１剥離用ハーフカット線が存在することでこのズレを吸収し、不良品の発生率を低く抑えることができる。
【００７７】
上述の実施の形態において、第２剥離用ハーフカット３５ａ〜３５ｃを複数本設けているのも同じ意味合いを有する。
【００７８】
図６に示した例では、第１剥離用ハーフカット線は両サイドに２本ずつ（合計４本）であるが、さらに多くのハーフカット線を設けてもよい。
【００７９】
なお、再封止スリット３１および第２剥離用ハーフカット線３５ａ〜３５ｃは、すべての第１剥離用ハーフカット線３２ａ、３２ｂ、３２ａ’、３２ｂ’・・・と交差して延在するよう設ける。また、剥離層５０は、最も外側の２本の第１剥離用ハーフカット線（図示の例では３２ａ’、３２ｂ’）に挟まれた領域で、再封止スリット３１を避けて設ける。
【００８０】
次に図７により、本発明の他の変形例について説明する。図７に示す紙容器１０は、図１乃至図５に説明した実施の形態および図６に示す変形例に対して、ブランク１’に延長パネル１１ｃを設けた点のみが異なるので、この点だけを説明する。図７は、ブランク１’と紙容器１０’の対応関係を示している。
【００８１】
ブランク１’においては、正面内パネル１１ｂよりも上方に延長パネル１１ｃを追加形成している。両者は、折罫ｆを介して連設されている。折罫ｆおよび延長パネル１１ｃは、組立後の紙容器１０’において、図７の一部破断図に示した位置にくる。すなわち、延長パネル１１ｃは、折罫ｆにおいて、紙容器の外側方向に折り返されている。
【００８２】
ブランク１’の積層構造は、図５で説明した通りであるが、ブランク周端縁においては、紙層６が露出することとなる。この露出した端縁に、例えば内容物であるチョコレートやクッキー等が接触すると、紙層６に油分が侵入して、紙箱表面にシミとなって現れる等の悪影響が出る。
【００８３】
これを防ぐため、本変形例では、延長パネル１１ｃを設けて、折罫ｆにて外側方向へ折り返している。これにより、端縁１１ｄに内容物が接触することがなくなるので、端縁１１ｄから油分が積層構造内にしみ込むのを防止できる。
【００８４】
この折り返しの代わりに、延長パネル１１ｃに対してスカイブヘミング処理してもよい。この場合、折罫ｆは設けなくてもよい。
【００８５】
第２の実施の形態
次に図８および図９により、本発明の第２の実施の形態について説明する。
【００８６】
このうち図８（ａ）は開封前の状態の紙容器を示す斜視図であり、図８（ｂ）は一対の側部を立てた状態を示す紙容器の斜視図であり、図９は紙容器を構成するブランクの展開図である。
【００８７】
図８（ａ）（ｂ）および図９に示すように、紙容器１０は合成樹脂製のヒートシール層（シール層ともいう）５と、紙層６と、アルミ層（バリア層）７と、合成樹脂製のヒートシール層（シール層ともいう）８とを有する積層体からなるブランク１（図５参照）を折罫ａ，ｂ，ｃ，ｄ，４４ａ，４５ａ，４６ａ，４８ａ，４９ａに沿って折畳み組立てることにより構成され、このような紙容器１０は６面体形状を有する。
【００８８】
すなわち紙容器１０は、正面外パネル１１ａと、この正面外パネル１１ａに重なり合って貼り付けられた正面内パネル１１ｂとを有する正面壁１１と、正面外パネル１１ａに折罫ａ（稜線ａともなる）を介して連設された天壁１２と、天壁１２に折罫ｂ（稜線ｂともなる）を介して連設された背面壁１３と、背面壁１３に折罫ｃ（稜線ｃともなる）を介して連設された底壁１４とを備え、底壁１４と正面内パネル１１ｂとの間に折罫ｄ（稜線ｄともなる）が設けられている。
【００８９】
また正面壁１１と背面壁１３との間には、一対の側部４０、４０が設けられている。この各側部４０は、天壁１２から折罫４０Ａを介して延びるとともに先端に貼付け部４１ａを有する天壁側部パネル４１と、底壁１４から折罫４０Ａを介して延びるとともに先端に貼付け部４２ａを有する底壁側部パネル４２とを有している。そして天壁側部パネル４１の貼付け部４１ａと、底壁側部パネル４２の貼付け部４２ａを互いに貼付けることにより、側部４０が構成される。
【００９０】
また各側部４０の両側には、天壁側部パネル４１と底壁側部パネル４２との間に折込まれた第１折込部４３と第２折込部４７とが設けられている。
【００９１】
このうち第１折込部４３は正面壁１１側に位置し、第２折込部４７は背面壁１３側に位置している。
【００９２】
（ブランク１の構成）
図９は、紙容器１０を構成するブランク１の展開図を示しており、上述のようにこれを組み立てることで図８（ａ）（ｂ）に示す紙容器１０が構成される。本発明において、ブランク１は、少なくとも次の要素を含んでいる。
（１）正面壁１１を構成する正面外パネル１１ａ、正面内パネル１１ｂ。
正面内パネル１１ｂの外面に正面外パネル１１ａを貼り重ねることで、組立後の紙容器１０における正面壁１１が構成される。
（２）天壁１２。
天壁１２は、折罫ａを介して正面外パネル１１ａに連設されている。
（３）底壁１４。
底壁１４は、折罫ｄを介して正面内パネル１１ｂに連設されている。
（４）背面壁１３。
背面壁１３は、組立後の紙容器１０において正面壁１１に対向しており、折罫ｂを介して天壁１２に、折罫ｃを介して底壁１４に、それぞれ連設されている。
（５）紙容器１０は、六面体を有するため、上記各壁部以外にも左右の一対の側部４０、４０が存在する。上述のように各側部４０は天壁側部パネル４１の貼付け部４１ａと、底壁側部パネル４２の貼付け部４２ａを貼り付けることにより構成される。
【００９３】
また一対の側部４０、４０のうち、一方の側部（図８（ａ）（ｂ）に示す右方の側部）４０には、側部４０を構成する天壁側部パネル４１に、ミシン目状に形成されたハーフカット線２５ａにより開封用摘み部２５が設けられ、このハーフカット線２５ａの両端から天壁１２側へそれぞれ、開封用ハーフカット線２２ａ、２２ｂが延在している。開封用ハーフカット線２２ａ、２２ｂは、離れる方向に延在し、さらに開封用ハーフカット線２２ａ、２２ｂは各々折罫ａ（稜線ａ）および折罫ｂ（稜線ｂ）に至る（図９参照）。
【００９４】
天壁側部パネル４１上において、ハーフカット線２５ａ内の領域は、開封用摘み部２５として機能する。つまり、消費者は、ハーフカット線２５ａを破り、開封用摘み部２５を摘んで、開封用ハーフカット線２２ａ、２２ｂに沿って、紙容器１０を上方へ破り開けることができる。
【００９５】
開封用ハーフカット線２２ａ、２２ｂおよび摘み部２５を形成するハーフカット線２５ａは、ブランク１を貫通することなく、外表面のヒートシール層５および紙層６を切り込んで構成されている（図５参照）。なお、図５に示した例では、ハーフカットは紙層６を貫通しているが、紙層６の途中までのハーフカットとしてもよい。
【００９６】
（細長状窓部）
ところで、上述のように天壁１２には一対の開封用ハーフカット線２２ａ、２２ｂが設けられ、この一対のハーフカット線２２ａ、２２ｂは天壁１２上において各々折罫ａ（稜線ａ）および折罫ｂ（稜線ｂ）まで達している（図９参照）。
【００９７】
また天壁１２と正面外フラッパ１１ａとの間の折罫ａ（稜線ａ）および天壁１２と背面壁１３との間の折罫ｂ（稜線ｂ）には、ハーフカット線２２ａ、２２ｂに延長して、シール層５および紙層６を除去することにより形成され、アルミ層７が外方へ露出する細長状窓部２２Ａ、２２Ｂが設けられている。
【００９８】
この細長状窓部２２Ａ、２２Ｂは、開封用ハーフカット線２２ａ、２２ｂと同様の断面形状をもつが（図５参照）、その長さｌ１は１０〜５０ｍｍ、その幅ｗは１〜１０ｍｍとなっている。すなわち細長状窓部２２Ａ、２２Ｂは、開封用ハーフカット線２２ａ、２２ｂより大きな幅をもつが、細長状窓部２２Ａ、２２Ｂ内に指が入らないようになっている。
【００９９】
図８（ａ）（ｂ）、および図９に示すように、細長状窓部２２Ａ、２２Ｂは、折罫ａ（稜線ａ）および折罫ｂ（稜線ｂ）上に設けられており、開封用ハーフカット線２２ａ、２２ｂの延長上に設けられている。
【０１００】
このように開封用ハーフカット線２２ａ、２２ｂの延長上に折罫ａ（稜線ａ）および折罫ｂ（稜線ｂ）に沿って細長状窓部２２Ａ、２２Ｂを設けたので、ハーフカット線２５ａを破って摘み部２５を摘み、開封用ハーフカット線２２ａ、２２ｂに沿って紙容器１０を破断した場合、紙容器１０を開封用ハーフカット線２２ａ、２２ｂに沿って破断した後、一対の細長状窓部２２Ａ、２２Ｂに沿って紙容器１０を確実に破断することができる。このため開封用ハーフカット線２２ａ、２２ｂに沿って紙容器を破断することにより形成される開封部が開封用ハーフカット線２２ａ、２２ｂから外れたり、先細り状態となることはない。
【０１０１】
次に各側部４０の両側に設けられた第１折込部４３と、第２折込部４７について説明する。
【０１０２】
各第１折込部４３は正面外パネル１１ａから延びる正面外パネル側第１折込部４３Ａと、正面内パネル１１ｂから延びる正面内パネル側第１折込部４３Ｂとからなり、第１折込部４３は天壁側部パネル４１と底壁側部パネル４２との間に折込まれている。
【０１０３】
また正面外パネル側第１折込部４３Ａは、図３に示すように正面外パネル１１ａに第１折罫４４ａを介して連結された第１三角形領域４４と、この第１三角形領域４４に一対の第２折罫４５ａを介して連結された一対の第２三角形領域４５とを有している。
【０１０４】
また各第２三角形領域４５は、他の折罫４６ａにより区画されており、各第２三角形領域４５はこの他の折罫４６ａを介して４角形状の貼付け部４６に連結され、各４角形状の貼付け部４６は各々天壁側部パネル４１の貼付け部４１ａおよび後述する正面内パネル側第１折込部４３Ｂに貼付けられる。
【０１０５】
ところで第１折込部４３を構成する正面外パネル側第１折込部４３Ａと、正面内パネル側第１折込部４３Ｂは、正面外パネル側第１折込部４３Ａが外側へくるよう互いに積層されている。この場合、正面内パネル側第１折込部４３Ｂの上端縁は、第１三角形領域４４の頂点４４ｂ近傍まで達する（図９参照）。
【０１０６】
また、第２折込部４７は背面壁１３に第１折罫４８ａを介して連結された第１三角形領域４８と、この第１三角形領域４８に一対の第２折罫４９ａを介して連結された一対の第２三角形領域４９とを有している。
【０１０７】
ところで、側部４０を構成する天壁側部パネル４１にハーフカット線２５ａがミシン目状に設けられ、このハーフカット線２５ａによって開封用摘み部２５が形成される。
【０１０８】
この場合、天壁１２と天壁側部パネル４１との間の折罫４０Ａ（天壁１２と側部４０との間の稜線４０Ａともなる）と、ハーフカット線２５ａあるいは一対の開封用ハーフカット線２２ａ、２２ｂは交わらないようになっている。
【０１０９】
すなわち、図９に示すように折罫４０Ａとハーフカット線２５ａとは、ｌ３＝１．０〜１．５ｍｍ離れており、折罫４０Ａと一対の開封用ハーフカット線２２ａ、２２ｂとはｌ４＝１．０〜１．５ｍｍ離れている。このため紙容器１を組立てた場合は、折罫４０Ａにハーフカット線２５ａあるいは開封用ハーフカット線２２ａ、２２ｂを設けることに起因してピンホール等が形成されることはない。
【０１１０】
次にこのような構成からなる本実施の形態の作用について説明する。
【０１１１】
まず上述した層構成を有するブランク１を準備する。
【０１１２】
次にブランク１を折罫ａ，ｂ，ｃ，ｄに沿って折り畳み、正面外パネル１１ａと正面内パネル１１ｂを重ね合せて貼り付ける。
【０１１３】
次にブランク１を組み立て、内容物を収納した後、ブランク１を折罫４４ａ、４５ａ、４６ａに沿って折畳むことにより、正面外パネル側第１折込部４３Ａと、正面内パネル側第１折込部４３Ｂとからなる第１折込部４３を形成する。同時にブランク１を折罫４８ａ、４９ａに沿って折畳んで第２折込部４７を形成する。
【０１１４】
その後第１折込部４３と第２折込部４７を、各々天壁側部パネル４１と底壁側部パネル４２との間に折込み、天壁側部パネル４１の貼付け部４１ａと底壁側部パネル４２の貼付け部４２ａとを貼付けることにより一対の側部４０、４０を形成する。
【０１１５】
このようにして６面体形状の紙容器１０を成形することができる。
【０１１６】
紙容器１０の開封作業は、天壁側部パネル４１に形成されたハーフカット線２５ａを破り、開封用摘み部２５を摘んで行う。このとき開封用ハーフカット線２２ａ、２２ｂに沿って紙容器を破断することにより、紙容器１０を開封することができる。
【０１１７】
この場合、折罫ａ、ｂに沿って、開封用ハーフカット線２２ａ、２２ｂの延長上に折罫ａ（稜線ａ）および折罫ｂ（稜線ｂ）に沿って細長状窓部２２Ａ、２２Ｂを設けたので、ハーフカット線２５ａを破って摘み開封用ハーフカット線２２ａ、２２ｂに沿って紙容器１０を破断した場合、紙容器１０を開封用ハーフカット線２２ａ、２２ｂに沿って破断した後、一対の細長状窓部２２Ａ、２２Ｂに沿って紙容器１０を確実に破断することができる。このため開封用ハーフカット線２２ａ、２２ｂに沿って紙容器を破断することにより形成される開封部が開封用ハーフカット線２２ａ、２２ｂから外れたり先細り状態となることはない。
【０１１８】
次に図１０により本発明の変形例について説明する。図１０に示す変形例は、開封用摘み部２５を形成するハーフカット線２５ａを正面外フラッパ１１ａに設けるとともに、開封用摘み部２５の両端から天壁１２上に一対の開封用ハーフカット線２２ａ、２２ｂを延在させ、この一対の開封用ハーフカット線２２ａ、２２ｂを折罫ｂ（稜線ｂ）を越えて背面壁１３側へ伸ばしたものである。
【０１１９】
他の構成は、図８（ａ）（ｂ）および図９に示す第２の実施の形態と略同一である。
【０１２０】
図１０において、図８（ａ）（ｂ）および図９に示す第２の実施の形態と同一部分には、同一符号を付して詳細な説明は省略する。
【０１２１】
図１０において、開封用摘み部２５を形成するハーフカット線２５が正面外フラッパ１１ａに設けられ、開封用摘み部２５の両端から折罫ａ（稜線ａ）を挟んで一対の開封用ハーフカット線２２ａ、２２ｂが天壁１２上を延びている。一対の開封用ハーフカット線２２ａ、２２ｂは天壁１２上において、互いに離れる方向へ延び、その後互いに平行に延びて折罫ｂを越えて背面壁１３側へ達している。
【０１２２】
また、天壁１２上に延びる各開封用ハーフカット線２２ａ、２２ｂのうち、互いに離れる方向へ延びる部分に細長状窓部２２Ａ、２２Ｂが設けられている。
【０１２３】
なお、図１０において、折罫ａとハーフカット線２５ａとの間および折罫ａと各開封用ハーフカット線２２ａ、２２ｂとの間は、ｌ５＝１．０〜１．５ｍｍだけ離れており、折罫ａとハーフカット線２５ａあるいは折罫ａと開封用ハーフカット線２２ａ、２２ｂが交わらないようになっている。
【０１２４】
また折罫ｂと各開封用ハーフカット線２２ａ、２２ｂとの間も、ｌ６＝１．０〜１．５ｍｍだけ離れており、折罫ｂと各開封用ハーフカット線２２ａ、２２ｂが交わらないようになっている。
【０１２５】
このように折罫ａとハーフカット線２５ａおよび開封用ハーフカット線２２ａ、２２ｂが交わることなく、かつ折罫ｂと開封用ハーフカット線２２ａ、２２ｂが交わることはないので、紙容器１を組立てた場合に、折罫ａおよび折罫ｂに、ハーフカット線２５ａあるいは開封用ハーフカット線２２ａ、２２ｂを設けたことに起因してピンホール等が形成されることはない。
【符号の説明】
【０１２６】
１、１’  ブランク
５  シール層
６  紙層
７  アルミ層
８  シール層
１０、１０’  紙容器
１１  正面壁
１１ａ  正面外パネル
１１ｂ  正面内パネル
１１ｃ  延長パネル
１１ｄ  端縁
１２  天壁
１３  背面壁
１４  底壁
２１ａ、２１ｂ  切欠部
２２ａ、２２ｂ  開封用ハーフカット線
２２Ａ、２２Ｂ  細長状窓部
２５  開封用摘み部
２５ａ  ハーフカット線
３１  再封止スリット
３１’  連設部分
３２ａ、３２ｂ、３２ａ’、３２ｂ’  第１剥離用ハーフカット線
３５ａ、３５ｂ、３５ｃ  第２剥離用ハーフカット線
４０  側部
４０Ａ  折罫
４１  天壁側部パネル
４１ａ  貼付け部
４２  底壁側部パネル
４２ａ  貼付け部
４３  第１折込部
４７  第２折込部
ａ  折罫（稜線）
ｂ  折罫（稜線）
ｃ  折罫（稜線）
ｄ  折罫（稜線）
【図１】
0005954611.tif 000002
【図２】
0005954611.tif 000003
【図３】
0005954611.tif 000004
【図４】
0005954611.tif 000005
【図５】
0005954611.tif 000006
【図６】
0005954611.tif 000007
【図７】
0005954611.tif 000008
【図８】
0005954611.tif 000009
【図９】
0005954611.tif 000010
【図１０】
0005954611.tif 000011